(57)【要約】【課題】電流線と電圧モニター線との蓄電池への接続作業性を向上し、電流線と電圧モニター線との接触を防止することができる計測用端子を提供する。【解決手段】蓄電池１におけるタブ形状の端子１１の先端側１１Ａに、負荷に接続される接続線２と、交流４端子法で蓄電池１の内部抵抗を計測する際に電流を流す電流線３とを纏めて半田付けし、タブ形状の端子１１の基端側１１Ｂに、電流を流すことで発生する蓄電池１の内部抵抗に依拠した交流電圧を計測する電圧線４を接続した計測用端子１２の先端１４を、半田付けにより結合した。【選択図】図１
0003164587.tif 000002
【実用新案登録請求の範囲】
【請求項１】
蓄電池におけるタブ形状の端子の一半部に、負荷に接続される接続線と、交流４端子法で蓄電池の内部抵抗を計測する際に電流を流す電流線とを纏めて半田付けし、
前記タブ形状の端子の他半部に、前記電流を流すことで発生する蓄電池の内部抵抗に依拠した交流電圧を計測する電圧線を接続した計測用端子の先端を、半田付けにより結合したことを特徴とする端子接続構造。
【請求項２】
請求項１に記載の端子接続構造において、
前記接続線及び前記電流線が束となり、これら束に対し、前記電圧線が直交するように結合されていることを特徴とする端子接続構造。
【請求項３】
請求項１又は２に記載の端子接続構造において、
前記計測用端子の先端が折り返されてコ字状に形成され、前記タブ形状の端子の一半部又は他半部に、前記計測用端子が当該タブ形状の端子と直交するように、引っ掛けて結合されていることを特徴とする端子接続構造。
【請求項４】
請求項１又は２に記載の端子接続構造において、
前記計測用端子の先端が断面Ｃ形状に形成され、前記タブ形状の端子の一半部を前記計測用端子に挿入して、結合されていることを特徴とする端子接続構造。
【考案の詳細な説明】
【技術分野】
【０００１】
本考案は、交流４端子法を用いて、蓄電池の電極端子間の電圧を計測する際に用いられる、当該端子に複数のリード線を接続するための、端子接続構造に関する。
【背景技術】
【０００２】
従来、非常用電源として蓄電池が用いられる。この場合の蓄電池は、蓄電池の劣化状態をモニターし、蓄電池を電源として使用することができるか否かを定期的に検査する必要があり、交流４端子法を用いて蓄電池の内部抵抗を測定している。
そのため、蓄電池の電極端子に、非常用電源（負荷）に接続される接続線とともに、蓄電池の内部抵抗を計測する際に蓄電池に交流電流を流す電流線と、電流線を介して電流を流した際に、蓄電池の内部抵抗に依拠した電圧を測定する電圧線とを接続固定している（例えば、特許文献１参照）。
【先行技術文献】
【特許文献】
【０００３】
【特許文献１】特開２００３−１２１４６１号公報
【考案の概要】
【考案が解決しようとする課題】
【０００４】
ところで、容量の比較的小さい蓄電池においては、タブ形状の電極端子が一般的に用いられるが、リード線を接続できるタブ部分が小さいため、複数のリード線をボルト等を用いてこのタブ形状の端子に固定することができない。そのため、複数のリード線をタブ形状端子に半田付けで固定することが考えられるが、所望数のリード線を、それぞれ接触しないようにタブ形状端子に固定することは困難であり、更に、先に固定したリード線が、後から固定されるリード線の半田付け時に発生する熱によって取れてしまう等、接続作業性が悪い。しかも、複数のリード線を小さいタブ部分に半田付けした場合、電圧線と電流線が接触して、電気的に干渉する恐れがあり、計測された蓄電池の内部抵抗値が正確さに欠けるという問題がある。
本考案は、上述した事情に鑑みてなされたものであり、複数のリード線をタブ形状の端子に半田付けする際に、先に固定したリード線が、後から固定されるリード線の半田付け時に取れてしまうのを防止し、電流線と電圧線との蓄電池への接続作業性を向上し、電流線と電圧線との干渉を防止できる端子接続構造を提供する。
【課題を解決するための手段】
【０００５】
上記目的を達成するために、本考案は、蓄電池におけるタブ形状の端子の一半部に、負荷に接続される接続線と、交流４端子法で蓄電池の内部抵抗を計測する際に電流を流す電流線とを纏めて半田付けし、前記タブ形状の端子の他半部に、前記電流を流すことで発生する蓄電池の内部抵抗に依拠した交流電圧を計測する電圧線を接続した計測用端子の先端を、半田付けにより結合したことを特徴とする。
【０００６】
この構成によれば、タブ形状の端子の一半部（先端側または基端側）に、負荷に接続される接続線と、蓄電池の内部抵抗を計測する際に電流を流す電流線とを纏めて半田付けし、他半部（基端側または先端側）に電流を流した際に電圧を計測する電圧線を接続した計測用端子の先端を半田付けにより結合したため、電流線と電圧線とを互いに間隙を設けて配線することができ、電流線と電圧線との接触を防止することができ、内部抵抗を正確に測定できるようになる。また、接続作業性の悪かった電圧線を計測用端子を介してタブ形状の端子に接続することができるようになり、接続作業性を向上できる。
【０００７】
この構成において、前記接続線及び前記電流線が束となり、これら束に対し、前記電圧線が直交するように結合されている構成としてもよい。
この構成によれば、電流線と電圧線を直交させてタブ形状の端子に接続したために、電流線と電圧線とが接触するのを確実に防止することができ、内部抵抗の計測時に、電圧線が電流線からの干渉を受けることがない。そのため、電圧を正確に計測することができ、内部抵抗の計測精度が向上する。
【０００８】
また、前記計測用端子の先端が折り返されてコ字状に形成され、前記タブ形状の端子の一半部又は他半部に、前記計測用端子が当該タブ形状の端子と直交するように、計測用端子の先端を当該タブ形状の端子に引っ掛けて結合されている構成としてもよい。
この構成によれば、計測用端子の先端を、タブ形状の端子に、引っ掛けて、計測用端子とタブ形状の端子を結合することができるため、計測用端子に接続された電圧線のタブ形状の端子への接続作業性が向上する。さらに、計測用端子の先端は、タブ形状の端子に引っ掛けて結合された後に、タブ形状の端子に半田付けされるため、電圧線のタブ形状の端子への接合強度が向上する。
【０００９】
前記計測用端子の先端が折り返されて断面Ｃ形状に形成され、前記タブ形状の端子の一半部を前記計測用端子に挿入して、結合されている構成としてもよい。
この構成では、計測用端子の先端にタブ形状端子を挿入することで、容易に計測用端子とタブ形状端子が結合されるため、電圧線の接続作業性を向上できる。また、計測用端子の先端に、タブ形状端子を挿入した後に、計測用端子の先端は、タブ形状端子に半田付けされるため、電圧線のタブ形状端子への接合強度が向上する。
【考案の効果】
【００１０】
本考案によれば、タブ形状の端子の一半部に、負荷に接続される接続線と、蓄電池の内部抵抗を計測する際に電流を流す電流線とを纏めて半田付けし、他半部に電流を流した際に電圧を計測する電圧線を接続した計測用端子の先端を半田付けにより結合したため、電流線と電圧線とを互いに間隙を設けて配線することができ、電流線と電圧線との接触を防止することができ、内部抵抗を正確に測定できるようになる。また、接続作業性の悪かった電圧線を計測用端子を介してタブ形状の端子に接続することができるようになり、接続作業性を向上することができる。
【図面の簡単な説明】
【００１１】
【図１】蓄電池の端子接続構造を示す斜視図である。
【図２】計測用端子の構造を示す斜視図である。
【図３】計測用端子と蓄電池の端子との接続構造を示す斜視図である。
【図４】別の実施形態の計測用端子の構造を示す斜視図である。
【図５】別の実施形態の接続構造を示す斜視図である。
【考案を実施するための形態】
【００１２】
以下、図面を参照して本考案の実施形態について説明する。
図１は、本考案を適用した実施形態に係る端子の接続構造を示す図である。１は例えば非常用電源として用いられる小型シール蓄電池であり、蓄電池１は一対のタブ形状の端子１１，１１を備える。一対のタブ形状の端子１１は、図示は省略したが、蓄電池１の内部に収容された正極板と負極板をセパレータを交互に積層して形成した極板群に備えられた正極柱と負極柱に接続されている。
【００１３】
この蓄電池１は、定期的（例えば１時間ごと）に内部抵抗値を測定し、蓄電池１が劣化していないかを判定する必要がある。蓄電池１の内部抵抗は、交流４端子法を用いて測定される。この蓄電池１は、まず負荷（不図示）に対して、接続線（電流線）２で接続される。また、交流４端子法では、予め設定された時間間隔で交流電源（不図示）から規定値の交流電流を蓄電池１に流す電流線３と、交流電圧計（不図示）に接続されて、タブ形状端子１１間の電圧を計測する電圧線４とが用いられる。すなわち、交流４端子法では、電流線３を介して蓄電池１に電流を流すと、蓄電池１のタブ形状端子１１間に、蓄電池１の内部抵抗に依拠（比例）して電圧降下が生じる。この電圧降下を、交流電圧計（不図示）で測定し、蓄電池１の内部抵抗を測定する。なお、図１では、一方の端子１１にのみ３本の線２〜４が接続されているが、他方の端子１１にも同様に３本の線２〜４（不図示）が接続されることは云うまでもない。
【００１４】
接続線２及び電流線３は、タブ形状の端子１１の先端側（一半部）１１Ａに、端子１１の長手方向に沿わせて纏めて半田付けされている。図示の例では、接続線２と、電流線３は、被覆をストリップした電線部分を、予め互いに絡げて束にして、タブ形状の端子１１の先端側１１Ａに、タブ形状の端子１１の蓄電池１からの延出方向に向かって接続線２と、電流線３とが配線されるように、接続される。
【００１５】
電圧線４は、図２に示すように、計測用端子１２の末端部１３に圧着によって固定されている。計測用端子１２の先端１４には、計測用端子１２を、タブ形状の端子１１に接続固定するための係合部１５が形成されている。係合部１５は、計測用端子１２の先端１４をコ字に折り曲げて形成し、計測用端子１２の先端部１５ａから、計測用端子１２の末端部１３側に折り曲げられた引っ掛け部１５ｂが形成されている。計測用端子１２には、末端部１３から先端１４方向に向かって、電圧線４を被覆の外側から圧着する第一圧着部２１と、電圧線４の被覆を向いた電線を圧着する第二圧着部２２とが並べて形成されている。第二圧着部２２の、さらに先端１４側には、立設部２３が形成され、立設部２３の先端１４側の端２３ａから、先端部１５ａまでの長さＬ１は、蓄電池１のタブ形状の端子１１の幅Ｗ１（図３参照）と略同じ長さに形成されている。引っ掛け部１５ｂの長さＬ２は、タブ形状の端子１１の幅Ｗ１の略半分の長さに形成されている。
【００１６】
計測用端子１２の係合部１５の幅Ｗ２は、タブ形状の端子１１の蓄電池１から延出している部分の長さＬ３の略半分に形成されている。
計測用端子１２は、図３に示されるように、係合部１５を、タブ形状の端子１１の基端側１１Ｂに、タブ形状の端子１１の下側から引っ掛けた状態で、計測用端子１２が、タブ形状の端子１１と略直交するように接続される。この時、タブ形状の端子１１は、係合部１５の先端部１５ａと、立設部２３の端２３ａの間に拘持された状態となり、計測用端子１２とタブ形状の端子１１は、結合されている。
計測用端子１２の先端１４は、タブ形状の端子１１の基端側（他半部）１１Ｂに半田付けされ、端子１１に結合されている。この際、電圧線４は、接続線２および電流線３を纏めた束と、略直交して端子１１に結合されている。
【００１７】
また、接続線２と、電流線３とを、タブ形状の端子１１の先端側１１Ａに半田付けする際に、図示は省略したが、計測用端子１２の、引っ掛け部１５ｂと、立設部２３の端２３ａとの間にも溶融したはんだを付着させ、計測用端子１２をタブ形状の端子１１に半田付けで結合する。この構成では、計測用端子１２をタブ形状端子１１に引っ掛けることで、容易に電圧線４を端子１１に接続することができ、電圧線４の接続作業性を向上することができる。また、計測用端子１２を端子１１に引っ掛けた後に、計測用端子１２をタブ形状の端子１１に半田付けするため、電圧線４をタブ形状の端子１１に結合する際の結合強度を向上することができる。
【００１８】
本実施形態においては、計測用端子１２は、タブ形状の端子１１の基端側１１Ｂに結合される構成としたが、計測用端子１２は、タブ形状の端子１１の先端側１１Ａに結合される構成としても良い。この場合、図示は省略したが、接続線２と、電流線３とは、電圧線４と直交し、電圧線４と接触しないように、タブ形状の端子１１の基端側１１Ｂに、半田付けされ、接続線２と電流線３は、タブ形状の端子１１の蓄電池１からの延出方向とは逆向きに配線されても良い。
【００１９】
次に別の実施形態について説明する。なお、以下の説明について、上述した実施形態と同一の構成要素については、同一の符号を付してその説明を省略する。
図４に示すように、計測用端子１２Ａは、タブ形状の端子１１に固定される先端１４に、断面略Ｃ形状に形成された係合部３５が形成されている。
図５に示すように、係合部３５は、係合部３５の開設部３５ｂが上を向くように、タブ形状端子１１の先端側１１Ａに挿入される。係合部３５の先端３５ａと、立設部２３の端２３ａの間の長さＬ４は、タブ形状の端子１１の蓄電池１から延出している長さＬ３の略半分の長さに形成されている。
【００２０】
この構成によれば、計測用端子１２は、係合部３５に、タブ形状の端子１１の先端側１１Ａが挿入された状態で、タブ形状の端子１１に接続される。そして、タブ形状の端子１１の基端側１１Ｂには、接続線２と、電流線３とが纏めて束にされて、半田付けによって固定される。この時、接続線２と、電流線３とを纏めて束にした線は、電圧線４とは、略直交するように配線される。
また、接続線２と、電流線３とを纏めた線をタブ形状の端子１１に半田付けする際に、図示は省略したが、計測用端子１２の係合部３５の開設部３５ｂにも溶融した半田を付着させて、係合部３５を端子１１に半田付けする。この構成によれば、係合部３５の開設部３５ｂが、上向きに備えられているため、接続線２と、電流線３とを纏めて束にした線をタブ形状端子１１に溶接する際に、容易に開設部３５ｂにも溶融したはんだを付着させることができる。そのため、端子１１に、接続線２と、電流線３と、電圧線４とを結合するための接続作業の効率を向上することができるとともに、電圧線４のタブ形状の端子１１への接続強度を向上できる。
【００２１】
以上説明したように、本実施形態によれば、交流４端子法を用いて定期的に蓄電池１の内部抵抗を測定する際に、蓄電池１のタブ形状の端子１１の先端側１１Ａに、接続線２と電流線３とを纏めて束にして、半田付けによって結合することで、電圧線が電流線からの干渉を受けることなく、電圧を正確に測定することができ、内部抵抗の計測精度が向上する。
また、タブ形状の端子１１の基端側１１Ｂに接続線２及び電流線３と直交するように電圧線４を結合するため、電流線３と電圧線４とが接触することが無く、更に内部抵抗の計測精度が向上する。
【符号の説明】
【００２２】
１  蓄電池
２  接続線
３  電流線
４  電圧線
１１  タブ形状の端子
１１Ａ  一半部
１１Ｂ  他半部
１２、１２Ａ  計測用端子
１４  先端
１５、３５  係合部
【図１】
0003164587.tif 000003
【図２】
0003164587.tif 000004
【図３】
0003164587.tif 000005
【図４】
0003164587.tif 000006
【図５】
0003164587.tif 000007